(57)【要約】【課題】記録媒体の給紙において重送が発生しても、記録処理に必要以上の時間を要することなく、記録処理を行うことができる記録装置を実現すること。【解決手段】記録媒体が重送によって搬送されてきても、その重送の状態、つまり重なり量と記録領域の関係を確認して、記録が可能である場合には記録処理を行う。【選択図】図４
2009184312.tif 000002
【特許請求の範囲】
【請求項１】
複数の記録媒体を備え、記録データを取得して該記録データに基づいて、給紙された前記記録媒体に記録を行う記録装置において、
給紙された前記記録媒体に重送が発生しているかを検出する重送検出手段と、
重送された前記記録媒体の位置関係に関する状態を検出する状態検出手段と、
重送された前記記録媒体の重なっていない領域を検出する領域検出手段と、
を備え、
前記重送検出手段と前記状態検出手段の検出結果に基づき、前記領域検出手段の各検出結果と前記記録データとを比較し、その比較結果に基づいて記録処理を実行することを特徴とする記録装置。
【請求項２】
前記重送検出手段の検出結果が重送であり、前記記録データが縁なし記録の前記記録データである場合には、記録処理を停止することを特徴とする請求項１に記載の記録装置。
【請求項３】
前記重送検出手段で重送でないと判断された場合には、前記状態検出手段や前記領域検出手段による検出を行なわずに記録処理を実行することを特徴とする請求項１または請求項２に記載の記録装置。
【請求項４】
前記領域検出手段の検出結果と前記記録データとを比較して、前記記録媒体の重なっていない領域が前記記録データの記録領域に対して小さいと判断した場合には、前記記録媒体の後から搬送されるてくる前記記録媒体に記録が行われることを特徴とする請求項１ないし請求項３のいずれかに記載の記録装置。
【請求項５】
記録データを取得して該記録データに基づいて、給紙された記録媒体に記録を行う記録方法において、
給紙された前記記録媒体に重送が発生しているかを検出する重送検出工程と、
重送された前記記録媒体の位置関係に関する状態を検出する状態検出工程と、
重送された前記記録媒体の重なっていない領域を検出する領域検出工程と、
を備え、
前記重送検出工程と前記状態検出工程の検出結果に基づき、前記領域検出工程の各検出結果と前記記録データとを比較し、その比較結果に基づいて記録処理を実行することを特徴とする記録方法。
【発明の詳細な説明】
【技術分野】
【０００１】
本発明は、記録媒体に記録を行う記録装置に関し、特に記録媒体の搬送状態によって異なる記録制御を行う記録装置および記録方法に関するものである。
【背景技術】
【０００２】
近年、記録装置で記録が行われる媒体は、一般的なコピー用紙や普通紙だけに限らず多岐に亘っている。通常の記録装置では記録を行う際には、複数の記録媒体が記録装置のトレーにセットされ、給紙モータにより１枚ずつ記録装置内へ給紙されて記録が行われる。給紙の際には記録媒体が１枚ずつ確実に給紙されるように種々の工夫が施されているが、それでもなお、記録媒体間の静電気等により複数枚の記録媒体が重なった状態で給紙される、いわゆる重送が発生することがある。
【０００３】
重送が発生した場合、本来１枚の記録媒体に対して行われるべき記録が、複数の記録媒体にまたがって記録が行われる等、記録媒体の所望の位置に記録が行われないことがある。その場合、改めて記録を行わなくてはならないため、記録媒体やインクを無駄に使ってしまうことになる。
【０００４】
そのため特許文献１には、給紙が行われた際に重送かどうかを検知して、重送を検知した場合には、記録媒体の再セットを指示する信号をホストコンピュータに送信して、記録媒体が再セットされてから記録を行う方法が開示されている。
【０００５】
また、特許文献２には、給紙された記録媒体の厚みを検出することで、重送かどうかを判断する方法が開示されている。
【０００６】
【特許文献１】特開２００２−２６４４３８号公報
【特許文献２】特開平７−２１５５３８号公報
【発明の開示】
【発明が解決しようとする課題】
【０００７】
重送にはさまざまな形態があり、記録媒体同士がほとんどずれることなく重なり合って給紙される場合や、記録媒体同士が記録媒体の半分ほどずれて給紙される場合などがある。しかし、給紙の際に重送が発生した場合、常に記録に不具合が生じるわけではない。つまり、上記のように記録媒体同士がほとんどずれることなく重なり合って給紙された場合、縁有りの記録であればそのまま記録を行うことが可能である。また、記録媒体同士が記録媒体の半分ほどずれて給紙された場合でも、記録領域が小さく、記録媒体が重なっていない部分に収まる場合には記録することが可能である。したがって、このような場合にまで、記録を行わずに記録媒体の再セットを行うのでは、記録に必要以上の時間がかかってしまい記録速度が遅くなる。
【０００８】
よって本発明は、記録媒体の給紙において重送が発生しても、記録処理に必要以上の時間を要することなく、記録処理を行うことができる記録装置および記録方法を実現することを目的とする。
【課題を解決するための手段】
【０００９】
そのため本発明の記録装置は、複数の記録媒体を備え、記録データを取得して該記録データに基づいて、給紙された前記記録媒体に記録を行う記録装置において、給紙された前記記録媒体に重送が発生しているかを検出する重送検出手段と、重送された前記記録媒体の位置関係に関する状態を検出する状態検出手段と、重送された前記記録媒体の重なっていない領域を検出する領域検出手段と、を備え、前記重送検出手段と前記状態検出手段の検出結果に基づき、前記領域検出手段の各検出結果と前記記録データとを比較し、その比較結果に基づいて記録処理を実行することを特徴とする。
【００１０】
また、本発明の記録方法は、記録データを取得して該記録データに基づいて、給紙された記録媒体に記録を行う記録方法において、給紙された前記記録媒体に重送が発生しているかを検出する重送検出工程と、重送された前記記録媒体の位置関係に関する状態を検出する状態検出工程と、重送された前記記録媒体の重なっていない領域を検出する領域検出工程と、を備え、前記重送検出工程と前記状態検出工程の検出結果に基づき、前記領域検出工程の各検出結果と前記記録データとを比較し、その比較結果に基づいて記録処理を実行することを特徴とする。
【発明の効果】
【００１１】
本発明によれば、給紙された記録媒体に重送が発生しているかを検出する重送検出工程と、重送された記録媒体の位置関係に関する状態を検出する状態検出工程と、重送された記録媒体の重なっていない領域を検出する領域検出工程と、を備える。そして、重送検出手段と状態検出手段の検出結果に基づき、領域検出手段の各検出結果と記録データとを比較し、その比較結果に基づいて記録処理を実行する。これによって、記録媒体の給紙において重送が発生しても、記録処理に必要以上の時間を要することなく、記録処理を行うことができる記録装置および記録方法を実現することができた。
【発明を実施するための最良の形態】
【００１２】
以下、図面を参照して本発明の実施形態を説明する。  
図１は、本実施形態を適用可能な記録装置の内部の機構がわかるように示した側面図である。本実施形態の記録装置１００では、第１記録媒体セット部２０１にセットされた記録媒体は、給紙ローラ２０２により記録装置内に給紙される。給紙された記録媒体は、搬送ローラ２０３により搬送される。給紙の際は、記録媒体の記録面に対してローラ２０２によって力が加えられる。その際、記録媒体同士の静電気や、環境による湿度の影響等により１枚の記録媒体を分離することができずに、複数枚の記録媒体を給紙してしまう（以下、重送ともいう）ことがある。このような重送を防止するために、重送を検出するセンサ２０４が、記録媒体が搬送される経路上に配置されている。このセンサ２０４は、搬送されてきた記録媒体の厚さを検知することで重送かどうかを判断しており、重送の場合には、１枚の記録媒体のうち、どの位置から重なっているかを距離で認識することができる。
【００１３】
搬送された記録媒体には記録が行われ、第１排紙ローラ２０５、第２排紙ローラ２０６により記録装置外へ排出される。
【００１４】
また、第２記録媒体セット部２０７にセットされた記録媒体は、給紙ローラ２０８により記録装置内に給紙される。給紙された記録媒体は、搬送ローラ２０３により搬送される。第２記録媒体セット部２０７から給紙される記録媒体も、記録媒体同士の静電気や、環境による湿度の影響等により１枚の記録媒体を分離することができずに、重送が発生することがある。そのため、重送を検出するセンサ２０４は、第２記録媒体セット部２０７から給紙される記録媒体に対しても重送を検出することができる。
【００１５】
図２は、記録媒体が給紙され重送が発生した場合の記録媒体の状態を表わしており、（ａ）は第１記録媒体セット部２０１から給紙された場合、（ｂ）は第２記録媒体セット部２０７から給紙された場合、のそれぞれで発生する重送の様子を示している。なお、通常記録媒体の搬送でずれが生じる場合は、記録媒体の搬送方向に対して前後の方向にずれが生じるが、図２ではずれの状態がわかりやすいように左右の方向にもずれた状態で示している。
【００１６】
第１記録媒体セット部２０１および第２記録媒体セット部２０７から記録媒体が給紙される場合には、重送の発生状態にそれぞれ特徴がある。第１記録媒体セット部２０１から給紙される場合に発生する重送は、図２（ａ）のように記録を行う記録媒体に対して下側で、ほぼずれることなく或いは搬送方向αに対して、記録が行われる記録媒体よりも遅れた状態で重送が発生する。また、第２記録媒体セット部２０７から記録媒体が給紙される場合に発生する重送は、図２（ｂ）のように記録を行う記録媒体に対して上側で、ほぼずれることなく或いは搬送方向αに対して、記録が行われる記録媒体よりも遅れた状態で重送が発生する。このような重送の発生状態の違いは、記録装置の給紙方法に起因する。つまり、記録部より上部に位置する記録媒体セット部２０１から反転することなく搬送される給紙方法と記録部より下部に位置する記録媒体セット部２０７から反転して搬送される給紙方法の違いによって発生する。
【００１７】
図３は、本実施形態における記録装置の概略の構成を示すブロック図である。  
本実施形態の記録装置１００は、ホストＰＣ等とのインターフェース（以下、Ｉ／Ｆともいう）１０１から記録データを取得する経路と、メモリカードなどに代表される外部ストレージ用のメモリカードＩ／Ｆ１０２から記録データを取得する経路と、を備えている。記録装置１００は、これらの各経路から取得した記録データを記録可能である。ただし、具備するＩ／Ｆは、本実施形態に必要不可欠なものではなく、少なくとも１つのＩ／Ｆを具備していればよい。
【００１８】
これらのＩ／Ｆから取得したデータは、データ処理部１０３によって解析され、解析結果を基に、記録制御に必要な情報がコントロール部１０５に伝達され、その情報の一部は、記録用データ保存領域１０４に保存される。コントロール部１０５は、記録動作のシーケンスを司り、記録装置内の各デバイスを制御するエンジン部１０６に対して記録動作の指令を行う。エンジン部１０６は、コントロール部１０５からの指令を基に、記録媒体搬送デバイス１０７、記録媒体送りデバイス１０８に指令を行い、記録媒体の搬送を行う。この際エンジン部１０６は、センサ１０９からの情報により、記録媒体の搬送状況を確認する。またエンジン部１０６は、記録デバイス１１０を制御し記録動作を実行する。
【００１９】
図４は、本実施形態の記録装置の記録制御を示したフローチャートである。また、図５は重送が発生した場合の記録媒体の状態と記録領域との関係を、重送の発生状態別に表わした図である。図５（ａ）は上側の記録媒体が先頭で搬送され、縁有り記録が行われた状態を示している。図５（ｂ）は、上側の記録媒体が先頭で搬送され、縁なし記録が行われた状態を示している。図５（ｃ）は、下側の記録媒体が先頭で搬送され、重なっていない部分に記録が行われた状態を示している。図５（ｄ）は、下側の記録媒体が先頭で搬送され、重なっていない部分からはみ出して記録が行われた状態を示している。図５（ｄ）は、下側の記録媒体が先頭で搬送され、上側の記録媒体に記録が行われた状態を示している。以下、図４のフローチャートに沿って、図５を参照しながら本実施形態の記録装置の記録制御を説明する。  
【００２０】
先ず、記録装置がホストＰＣ等から記録データを取得すると、ステップＳ３０１で記録データの解析を行う。この解析で記録範囲や記録媒体のサイズ、縁有り記録か全面記録（以下、縁無し記録ともいう）か等の情報を取得する。そして取得した情報を基に、ステップＳ３０２で記録媒体に対する記録範囲の特定を行う。その後、ステップＳ３０３で記録媒体の給紙を行い、ステップＳ３０４で、ステップＳ３０３の給紙で重送が発生しなかったかどうかの判断を行う。重送が発生していない場合には、ステップＳ３０５へ移行し、通常の記録処理を行う。ステップＳ３０４で重送が発生していると判断した場合には、ステップＳ３０６へ移行し、ステップＳ３０１で取得した情報を基に、縁無し記録であるかどうかを判断する。縁無し記録である場合、図５（ｂ）のように、記録媒体４０６の全面に記録が行われるが、縁無し記録の場合、記録媒体４０６以外の部分にもインクが吐出される。そのため記録媒体４０５の領域４０７にもインクが吐出されて、記録媒体４０５が汚染されるため縁無し記録である場合は記録を行わない。ここで、もし記憶媒体４０５と記録媒体４０６とがまったくずれのない状態で重なって搬送された場合、記録媒体４０６に記録を行っても記録媒体４０５の上面にはインクが吐出されないことから問題ないかのようにも思える。しかし、記録媒体４０５の上面は汚染されることはないが、側面つまり記録媒体４０５の裁断面は、吐出されたインクにより汚染されることが考えられる。従って、記録媒体が重送の状態で搬送された場合で縁無し記録合には記録を行うことができない。以上のように、記録媒体が重なった状態での縁無し記録はできないため、ステップＳ３０７へ移行し記録処理を停止する。
【００２１】
ステップＳ３０６で縁あり記録の場合、ステップＳ３０８へ移行し、記録媒体が第１記録媒体セット部２０１と第２記録媒体セット部２０７とのどちらから供給されたかを判断する。この判断によって重送の状態、つまり、重なっている記録媒体のうち、搬送方向に対して先頭にある記録媒体が上にあるのか下にあるのかを判断することができる。ステップＳ３０８の判断によって第１記録媒体セット部２０１から供給された記録媒体である場合には、ステップＳ３０９の上側の記録媒体への記録制御に移行する。第１記録媒体セット部２０１から記録媒体が供給されている場合には、上述したように、上側にある記録媒体が搬送方向に対して先頭にずれて搬送されている（図５（ａ）参照）。しかも、ステップＳ３０６の判定で縁有りの記録であることがわかっているので、先頭に搬送されてきている記録媒体４０４に対して記録を行うにあたり特に考慮することはなく、そのまま記録を行うことができる。従って、ステップＳ３０５へ移行して記録を行う。
【００２２】
ステップＳ３０８の判断によって第２記録媒体セット部２０７から供給された記録媒体である場合には、上述したように、上側にある記録媒体が搬送方向に対して後方にずれて搬送されている（図５（ｃ）、図５（ｄ）参照）。この時、記録領域によっては先頭に搬送されてきている記録媒体４１２に記録を行うと、後方にずれて搬送されている（上に乗っている）記録媒体４１３によって記録が遮られる。このため所望の記録が行えないばかりでなく、その後方にずれて搬送されている記録媒体４１３を汚してしまう可能性がある（図５（ｄ））。そこでこのような場合を考慮し、ステップＳ３１０で、先頭の記録媒体の重なっていない領域を調べる。つまり、受信した記録データに対して先頭の記録媒体の重なっていない領域が充分であるかを判定する。重なっていない領域で記録が可能な場合（図５（ｃ））、後方にずれて搬送されている記録媒体４０９を汚すこともなく記録を行うことが可能であるためステップＳ３０５へと移行して記録処理を実行する。
【００２３】
ステップＳ３１０で先頭の記録媒体の重なっていない領域が充分でないと判断された場合、上述したような不具合が発生するため、これを考慮した処理を行う。つまり図５（ｅ）のように、先頭で搬送されてきている記録媒体４１１は無視して、記録媒体４１５が先頭で搬送されてきているものとして処理を行う。しかしここで、記録媒体４１５を先頭の記録媒体として処理する場合、記録媒体４１５のさらに後に、別の記録媒体（不図示）が重送されていることも考えられる。そこで本実施形態では、さらにステップＳ３１２で、記録媒体４１５の後に記録媒体が重送されてきているかを判断する。ここで、記録媒体４１５の後に記録媒体が重送されてきていない場合には、記録媒体４１５が重送されずに先頭で搬送されて来たとしてステップＳ３０５へ進み記録を行う。ステップＳ３１３で、記録媒体４１５の後にも記録媒体が重送されて来ていると判断された場合には、記録媒体４１５が先頭で搬送されて来たとして、改めてステップ３１０に戻り、重なっている領域の判定を行い、以下同様の工程を繰り返す。最終的には、重なっていない領域で記録が可能になる或いは、重送ではない状態で記録媒体が搬送されて来てステップＳ３０５で記録が行われる。例えば、記録媒体の搬送が重送の状態で、記録領域も充分に無い状態が続いて搬送されて来ても、記録媒体セット部に記録媒体が無くなり最後の１枚では、ステップＳ３１２で後の記録媒体が無いと判断され、その最後の記録媒体に記録が行われて処理が終了する。
【００２４】
このように、記録媒体が重送によって搬送されてきても、その重送の状態、つまり重なり量と記録領域の関係を確認して、記録が可能である場合には記録処理を行う。これによって、給紙時に記録媒体の重送が発生しても、必要以上に記録処理の速度を低下させることなく記録処理を行うことができる記録装置を実現することができた。
【００２５】
なお、本実施形態ではインクが吐出して記録が行われるインクジェット記録装置を例に説明を行ったが、これに限定するものではなく、他の方法で記録を行う記録装置に適用してもよい。
【図面の簡単な説明】
【００２６】
【図１】本実施形態を適用可能な記録装置の内部の機構を示した側面図である。
【図２】（ａ）は第１記録媒体セット部から給紙された場合、（ｂ）は第２記録媒体セット部から給紙された場合、のそれぞれで発生する重送の様子を示している。
【図３】本実施形態における記録装置の概略の構成を示すブロック図である。
【図４】本実施形態の記録装置の記録制御を示したフローチャートである。
【図５】（ａ）は上側の記録媒体が先頭で搬送され、縁有り記録が行われた状態、（ｂ）は上側の記録媒体が先頭で搬送され、縁なし記録が行われた状態、（ｃ）は下側の記録媒体が先頭で搬送され、重なっていない部分に記録が行われた状態、（ｄ）は下側の記録媒体が先頭で搬送され、重なっていない部分からはみ出して記録が行われた状態、（ｅ）は下側の記録媒体が先頭で搬送され、上側の記録媒体に記録が行われた状態をそれぞれ示している。
【符号の説明】
【００２７】
１００  記録装置
２０１  第１記録媒体セット部
２０２  ローラ
２０３  搬送ローラ
２０４  センサ
２０５  第１排紙ローラ
２０６  第２排紙ローラ
２０７  第２記録媒体セット部
２０８  給紙ローラ
【図１】
2009184312.tif 000003
【図２】
2009184312.tif 000004
【図３】
2009184312.tif 000005
【図４】
2009184312.tif 000006
【図５】
2009184312.tif 000007